(57)【要約】【課題】孔開け加工が不要であり、出幅切詰めを行った場合でも孔開け加工のための追加コストが発生しない根太固定構造を提供する。【解決手段】根太１２と根太支持部材１１，１６とを固定するための根太固定構造であって、前記根太支持部材１１，１６に固定される固定金具１３を備え、前記根太１２は、前記根太支持部材１１，１６の上面に沿って側方に張り出すフランジ部１２ｃを備え、前記固定金具１３は、前記フランジ部１２ｃを上から押さえ付ける押さえ部１３ｂを備えている。【選択図】図６
2014066107.tif 000002
【特許請求の範囲】
【請求項１】
根太と根太支持部材とを固定するための根太固定構造であって、
前記根太支持部材に固定される固定金具を備え、
前記根太は、前記根太支持部材の上面に沿って側方に張り出すフランジ部を備え、
前記固定金具は、前記フランジ部を上から押さえ付ける押さえ部を備えていることを特徴とする、根太固定構造。
【請求項２】
前記フランジ部には、上向きの立ち上がり部が形成されており、
前記押さえ部には、前記立ち上がり部と係合する係合溝が形成されていることを特徴とする、請求項１記載の根太固定構造。
【請求項３】
前記根太の側面には、前記フランジ部の上方において突条が張り出し形成されており、この突条によって前記固定金具の上端部を押えていることを特徴とする、請求項１又は２記載の根太固定構造。
【請求項４】
前記固定金具は、前記根太支持部材に固定されるベース部と、前記ベース部から立設する立設部と、を備えて断面略Ｌ字形に形成されており、前記立設部が前記根太の側面に当接して前記根太を支持することを特徴とする、請求項１〜３のいずれかに記載の根太固定構造。
【発明の詳細な説明】
【技術分野】
【０００１】
この発明は、根太を根太掛けや桁などの根太支持部材に対して固定するための根太固定構造に関する。
【背景技術】
【０００２】
従来のバルコニーなどの張り出し部においては、主に根太によって床材が支持されて床面が構成されている。このとき、根太の端部は根太掛けや桁などの根太支持部材に固定されており、これにより床荷重が支持されている。例えば、特許文献１には、桁の上に根太を載置するとともに、ボルトやネジによって桁と根太とを連結した構成が開示されている。
【先行技術文献】
【特許文献】
【０００３】
【特許文献１】実公昭６１−９４４２号公報
【発明の概要】
【発明が解決しようとする課題】
【０００４】
しかし、上記した従来の構造では、根太と根太支持部材とを固定するために根太の端部にボルトやネジを貫通させるための孔を設ける必要がある。このため、孔開け加工が避けられないものとなっていた。
【０００５】
また、根太の孔は予め形成しておくこともできるが、施工現場にて出幅切詰めが発生すると根太の端部が切断されるために孔部分がなくなってしまい、施工現場で孔を開け直す必要がある。このため、出幅切詰めに伴って孔開け加工のための追加コストが発生してしまっていた。
【０００６】
そこで、本発明は、孔開け加工が不要であり、出幅切詰めを行った場合でも孔開け加工のための追加コストが発生しない根太固定構造を提供することを課題とする。
【課題を解決するための手段】
【０００７】
本発明は、上記した課題を解決するためになされたものであり、以下を特徴とする。
【０００８】
（請求項１）
請求項１に記載の発明は、以下の点を特徴とする。
【０００９】
すなわち、請求項１に記載の根太固定構造は、根太と根太支持部材とを固定するための根太固定構造であって、前記根太支持部材に固定される固定金具を備え、前記根太は、前記根太支持部材の上面に沿って側方に張り出すフランジ部を備え、前記固定金具は、前記フランジ部を上から押さえ付ける押さえ部を備えていることを特徴とする。
【００１０】
（請求項２）
請求項２に記載の発明は、上記した請求項１記載の発明の特徴点に加え、以下の点を特徴とする。
【００１１】
すなわち、前記フランジ部には、上向きの立ち上がり部が形成されており、前記押さえ部には、前記立ち上がり部と係合する係合溝が形成されていることを特徴とする。
【００１２】
（請求項３）
請求項３に記載の発明は、上記した請求項１又は２記載の発明の特徴点に加え、以下の点を特徴とする。
【００１３】
すなわち、前記根太の側面には、前記フランジ部の上方において突条が張り出し形成されており、この突条によって前記固定金具の上端部を押えていることを特徴とする。
【００１４】
（請求項４）
請求項４に記載の発明は、上記した請求項１〜３のいずれかに記載の発明の特徴点に加え、以下の点を特徴とする。
【００１５】
すなわち、前記固定金具は、前記根太支持部材に固定されるベース部と、前記ベース部から立設する立設部と、を備えて断面略Ｌ字形に形成されており、前記立設部が前記根太の側面に当接して前記根太を支持することを特徴とする。
【発明の効果】
【００１６】
請求項１に記載の発明は上記の通りであり、根太支持部材の上面に沿って側方に張り出す根太のフランジ部を、固定金具によって上から押さえ付けて固定するので、根太に孔開け加工が不要である。このため、出幅切詰めを行った場合でも孔開け加工のための追加コストが発生しない。
【００１７】
また、請求項２に記載の発明は上記の通りであり、前記フランジ部には、上向きの立ち上がり部が形成されており、前記押さえ部には、前記立ち上がり部と係合する係合溝が形成されているので、根太にボルトやネジを貫通させなくても根太をしっかりと固定することができる。このような構成によれば、根太の片側のみを押さえ部で押さえた場合でも根太の横方向への移動を防止できるため、取付状態を安定化させることができる。
【００１８】
また、請求項３に記載の発明は上記の通りであり、前記根太の側面には、前記フランジ部の上方において突条が張り出し形成されており、この突条によって前記固定金具の上端部を押えている。このような構成によれば、根太のがたつきを防止することができ、根太の取付状態を安定化させることができる。
【００１９】
また、請求項４に記載の発明は上記の通りであり、前記固定金具は、前記根太支持部材に固定されるベース部と、前記ベース部から立設する立設部と、を備えて断面略Ｌ字形に形成されており、前記立設部が前記根太の側面に当接して前記根太を支持しているので、固定金具が根太支持部材と根太とに面接触しており、根太の取付状態を安定化させることができる。
【図面の簡単な説明】
【００２０】
【図１】バルコニーの平面断面図である。
【図２】図１のＡ−Ａ'断面図である。
【図３】図１のＢ−Ｂ'断面図である。
【図４】根太固定金具の（ａ）上から見た斜視図、（ｂ）側面図、（ｃ）下から見た斜視図である。
【図５】根太の（ａ）側面図、（ｂ）斜視図である。
【図６】根太を固定する様子を示す図である。
【図７】根太固定部の一部拡大側面図である。
【図８】前桁の斜視図である。
【図９】バルコニーの主な構造を示す分解斜視図である。
【図１０】変形例１に係る根太固定部の一部拡大側面図である。
【図１１】変形例２に係る根太固定部の一部拡大側面図である。
【発明を実施するための形態】
【００２１】
本発明の実施形態について、屋外構造体としてのバルコニー１０を例に説明する。
【００２２】
本実施形態に係るバルコニー１０は、窓開口の屋外側に配置されている。このバルコニー１０は、図１及び図９に示すように、建物開口の両側下部から屋外側に突出して設けられる妻梁２０と、建物躯体３０に沿って窓開口の下部に固定される根太掛け１１と、この根太掛け１１の上に固定されて屋外方向に突出する根太１２と、バルコニー１０の屋外側先端において立設する柱１４と、柱１４と柱１４との間に架設される前桁１６と、バルコニー１０の床面を構成する床材１７と、を備えて構成される。本実施形態においては、根太掛け１１と前桁１６とが、根太１２の両端を支持する根太支持部材となっている。
【００２３】
妻梁２０は、床材１７の端部荷重を支持する部材であり、屋内側の端部が取付金具２５によって建物躯体３０に固定されるとともに、屋外側の端部が取付金具２５によって柱１４に固定されて支持されている。
【００２４】
根太掛け１１は、建物躯体３０に沿って水平方向に取り付けられる部材である。この根太掛け１１は、屋外側に張り出した突出縁部１１ａを備えており、この突出縁部１１ａに根太１２の端部を載置して固定できるようになっている。突出縁部１１ａの先端付近には、図６に示すように、上方に向けて開口したボルト溝１１ｂが全長に渡って形成されている。このボルト溝１１ｂには、ボルト２１の頭部を側方から挿入してスライド可能となっている。ボルト溝１１ｂの開口縁は内方に屈折した形状となっており、挿入したボルト２１が抜けないように開口が狭められている。このボルト溝１１ｂに頭部を嵌合させたボルト２１は、図６に示すように、軸部がボルト溝１１ｂの上方に突出した状態となる。
【００２５】
根太１２は、デッキを構成する床材１７の荷重を下方から支持するための部材であり、屋内側の端部が根太固定金具１３によって根太掛け１１に固定されるとともに、屋外側の端部が根太固定金具１３によって前桁１６に固定されて支持されている。この根太１２は、図５に示すような四角柱状の部材であり、両側の側面１２ａから側方に張り出し形成されたフランジ部１２ｃと突条１２ｆとを備えている。突条１２ｆは、フランジ部１２ｃの上方においてフランジ部１２ｃと平行に設けられている。
【００２６】
上記したフランジ部１２ｃは、図５に示すように、根太１２の下隅部に張り出し形成されている。このフランジ部１２ｃの底面は根太１２の底面１２ｂと面一となっており、根太１２を根太掛け１１の上に載置したときにフランジ部１２ｃが根太掛け１１の上面に沿って配置されるようになっている。言い換えると、根太１２を根太掛け１１の上に載置すると、図７に示すように、フランジ部１２ｃの底面を含めた根太１２の底面１２ｂが、根太掛け１１の突出縁部１１ａ上面に当接するようになっている。
【００２７】
このフランジ部１２ｃの端部には、上向きの立ち上がり部１２ｄが形成されており、この立ち上がり部１２ｄが形成されることで、立ち上がり部１２ｄと側面１２ａとの間に側溝１２ｅが形成されている。立ち上がり部１２ｄは、上方に行くに従って次第に先細となるように楔状に形成されている。また、側溝１２ｅは、下方に行くに従って次第に幅狭となるように楔状に形成されている。
【００２８】
柱１４は、バルコニー１０の屋外側先端において荷重を支持するための部材であり、下端部に設けられた台部１４ａによって屋根面の上に載置、固定される。なお、本実施形態に係るバルコニー１０は屋根置き式であるために柱１４が屋根面の上に載置、固定されているが、本発明の実施形態としてはこれに限らず、例えば地上面に柱１４を立設するようにしてもよい。
【００２９】
この柱１４と柱１４との間、及び、柱１４と建物躯体３０との間には、落下防止のために格子材１５が設けられている。この格子材１５は、前桁１６または妻梁２０に固定され、この格子材１５の上端には手すり１８が取り付けられる。なお、本実施形態においては格子材１５を使用したが、本発明の実施形態としてはこれに限らず、格子材１５以外の面材を格子材１５の代わりに使用してもよい。
【００３０】
前桁１６は、柱１４と柱１４との間に架設されるものであって、両端部がそれぞれ柱１４の対向する面に固定されて支持される。この前桁１６は、バルコニー１０の前面下部を覆うように設けられる。
【００３１】
床材１７は、例えば内部を中空にした合成樹脂製の細長板状成形体であり、両端部が妻梁２０で支持されるとともに、下部を根太１２で支持されている。この床材１７は、隣接する床材１７の間に隙間ができないように互いに係合して配置され、バルコニー１０の床面を形成している。
【００３２】
次に、本実施形態に係る根太固定構造について詳述する。
【００３３】
本実施形態に係る根太１２と根太掛け１１とは、図４に示すような根太固定金具１３によって固定される。なお、本実施形態においては、この根太固定金具１３を根太１２の片側にのみ取り付けることとし、根太１２と根太掛け１１とを片側固定としている。しかしながら、本実施形態の根太１２には両側にフランジ部１２ｃが設けられているため、両側のフランジ部１２ｃにそれぞれ根太固定金具１３を取り付けることとし、根太１２と根太掛け１１とを両側固定としてもよい。また、片側固定の場合には、上記したような両側にフランジ部１２ｃが設けた根太１２を使用する代わりに、片側にのみフランジ部１２ｃを設けた根太１２を使用してもよい。
【００３４】
根太固定金具１３は、根太掛け１１に固定されるベース部１３ａと、このベース部１３ａから立設する立設部１３ｆと、を備えて断面略Ｌ字形に形成されており、図７に示すように、立設部１３ｆが根太１２の側面１２ａに当接することで根太１２を支持するものである。
【００３５】
ベース部１３ａの中央付近にはボルト孔１３ｅが形成されている。このボルト孔１３ｅは、根太掛け１１のボルト溝１１ｂに嵌合したボルト２１の軸部を貫通させるためのものであり、このボルト孔１３ｅを貫通するボルト２１によって根太固定金具１３を根太掛け１１に固定できるように形成されている。
【００３６】
ベース部１３ａの基端部（立設部１３ｆとの境目付近）には、係合溝１３ｄが下向きに開口形成されており、この係合溝１３ｄが形成されることで、立設部１３ｆの下部に下方向に突出した係合突起１３ｃが形成されている。係合溝１３ｄは、上方に行くに従って次第に幅狭となるように楔状に形成されている。また、係合突起１３ｃは、下方に行くに従って次第に先細となるように楔状に形成されている。
【００３７】
この係合溝１３ｄ及び係合突起１３ｃは、図７に示すように、それぞれが根太１２の立ち上がり部１２ｄ及び側溝１２ｅと係合するようになっており、これにより、根太１２のフランジ部１２ｃを上から押さえ付ける押さえ部１３ｂを形成している。押さえ部１３ｂで上から押さえ付けることで、根太１２のフランジ部１２ｃは押さえ部１３ｂと根太掛け１１の上面とで挟持されることとなり、しかも、係合溝１３ｄ及び係合突起１３ｃが立ち上がり部１２ｄ及び側溝１２ｅと係合することで、強固に根太１２が固定されるようになっている。そして、係合溝１３ｄと立ち上がり部１２ｄ、係合突起１３ｃと側溝１２ｅは、それぞれ互いに噛み合うように楔状に形成されているため、隙間を生じずにがたつきなく係合する。
【００３８】
また、根太固定金具１３の立設部１３ｆの高さは、根太１２の突条１２ｆの高さと略同じに形成されているため、根太固定金具１３の押さえ部１３ｂで根太１２のフランジ部１２ｃを上から押さえ付けたときに、図７に示すように、根太固定金具１３の立設部１３ｆの上端部１３ｇが根太１２の突条１２ｆによって上から押えられるようになっている。このため、根太固定金具１３の立設部１３ｆが上下から支持された状態となるので、根太固定金具１３と根太１２との係合が強固となり、根太固定金具１３が根太１２から外れるといったことがないように形成されている。
【００３９】
上記した根太固定金具１３を使用して根太１２を根太掛け１１に固定する際には、図６に示すように、根太掛け１１のボルト溝１１ｂにボルト２１の頭部を嵌合させ、根太１２の取付位置までスライドさせる。そして、根太固定金具１３のボルト孔１３ｅにボルト２１の軸部を貫通させ、その上からナット２２を取り付けて仮止めする。
【００４０】
その後、根太固定金具１３を傾けることでできた隙間から根太１２の立ち上がり部１２ｄを係合溝１３ｄの中に差し入れて、根太１２と根太固定金具１３とを係合させる。このような取付方法によれば、根太１２をスライドさせるための空間が確保できない場合や、根太１２の逆端側がすでに固定されているために根太１２をスライドできない場合などでも、根太１２を長手方向にスライドさせなくても根太１２を取り付けることができる。
【００４１】
根太１２と根太固定金具１３とを係合させたら、ナット２２を本締めし、根太固定金具１３の押さえ部１３ｂでしっかりと根太１２のフランジ部１２ｃを上から押さえ付けるようにする。これにより、根太１２の取り付けが完了する。
【００４２】
なお、根太１２と根太固定金具１３とを係合させる方法としては、例えば以下のような方法を採用してもよい。例えば、根太１２を根太固定金具１３の側方からスライドさせて、根太１２と根太固定金具１３とを係合させてもよい。具体的には、根太固定金具１３の係合溝１３ｄの側部開口から、根太１２の立ち上がり部１２ｄを挿入し、この係合溝１３ｄと立ち上がり部１２ｄとを係合させた状態で根太１２をスライドさせてもよい。他にも、根太固定金具１３を予め仮止めせずに、根太１２を根太掛け１１に載置した後に根太固定金具１３を取り付けるようにしてもよい。
【００４３】
上記した根太固定金具１３は、根太１２を前桁１６に固定する際にも使用される。すなわち、図８に示すように、前桁１６にも根太掛け１１と同様の突出縁部１６ａ及びボルト溝１６ｂが形成されているため、根太１２を根太掛け１１に固定する場合と同様の作業により前桁１６に根太１２を固定することができる。
【００４４】
以上のように、本実施形態によれば、根太掛け１１及び前桁１６の上面に沿って側方に張り出す根太１２のフランジ部１２ｃを、根太固定金具１３によって上から押さえ付けて固定するので、根太１２に孔開け加工が不要である。このため、出幅切詰めを行った場合でも孔開け加工のための追加コストが発生しない。
【００４５】
また、前記フランジ部１２ｃには、上向きの立ち上がり部１２ｄが形成されており、前記押さえ部１３ｂには、前記立ち上がり部１２ｄと係合する係合溝１３ｄが形成されているので、根太１２にボルトを貫通させなくても根太１２をしっかりと固定することができる。このような構成によれば、根太１２の片側のみを押さえ部１３ｂで押さえた場合でも、根太１２の横方向への移動を防止し、取付状態を安定化させることができる。
【００４６】
また、前記根太１２の側面１２ａには、前記フランジ部１２ｃの上方において突条１２ｆが張り出し形成されており、この突条１２ｆによって根太固定金具１３の上端部１３ｇを押えている。このような構成によれば、根太１２のがたつきを防止することができ、根太１２の取付状態を安定化させることができる。
【００４７】
また、根太固定金具１３は、根太掛け１１及び前桁１６に固定されるベース部１３ａと、ベース部１３ａから立設する立設部１３ｆと、を備えて断面略Ｌ字形に形成されており、立設部１３ｆが根太１２の側面１２ａに当接して根太１２を支持しているので、根太固定金具１３が根太掛け１１及び前桁１６と根太１２とに面接触しており、根太１２の取付状態を安定化させることができる。
【００４８】
なお、上記した根太固定金具１３に限らず、図１０や図１１に示すような固定金具を使用してもよい。
【００４９】
図１０に示す実施形態においては、根太４０は、下端両側部において側方に張り出すフランジ部４０ａを備えている。また、根太固定金具４１は、上方に向けて開口したスライド溝４１ａを備えている。スライド溝４１ａは、根太４０をスライド可能にガイドするためのものであり、根太４０のフランジ部４０ａを端部から挿入可能となっている。スライド溝４１ａに根太４０のフランジ部４０ａを挿入すると、スライド溝４１ａの開口縁がフランジ部４０ａと係合し、根太４０が根太固定金具４１から外れないようになっている。このような構造でも、根太４０に孔開け加工が不要であり、根太４０の出幅切詰めを行った場合でも孔開け加工のための追加コストが発生しない。
【００５０】
また、図１１に示す実施形態においては、根太５０は、下端両側部において側方に張り出すフランジ部５０ａを備えている。このフランジ部５０ａは、下すぼまりの矢じり状に形成されている。また、根太固定金具５１は、上方に向けて開口した嵌合溝５１ａを備えている。嵌合溝５１ａは、両側に設けられた立設片５１ｂに挟まれるかたちで形成されている。この根太固定金具５１に根太５０を取り付ける際には、根太５０のフランジ部５０ａを嵌合溝５１ａに上から圧入する。すると、両側の立設片５１ｂが互いに離反する方向に弾性変形することで、嵌合溝５１ａの開口が広げられ、フランジ部５０ａが嵌合溝５１ａの内部に嵌入する。フランジ部５０ａが嵌合溝５１ａの内部に嵌合すると、嵌合溝５１ａの開口縁がフランジ部５０ａと係合し、根太５０が根太固定金具５１から外れないようになっている。このような構造でも、根太５０に孔開け加工が不要であり、根太５０の出幅切詰めを行った場合でも孔開け加工のための追加コストが発生しない。
【符号の説明】
【００５１】
１０  バルコニー
１１  根太掛け（根太支持部材）
１１ａ  突出縁部
１１ｂ  ボルト溝
１２  根太
１２ａ  側面
１２ｂ  底面
１２ｃ  フランジ部
１２ｄ  立ち上がり部
１２ｅ  側溝
１２ｆ  突条
１３  根太固定金具
１３ａ  ベース部
１３ｂ  押さえ部
１３ｃ  係合突起
１３ｄ  係合溝
１３ｅ  ボルト孔
１３ｆ  立設部
１３ｇ  上端部
１４  柱
１４ａ  台部
１５  格子材
１６  前桁（根太支持部材）
１６ａ  突出縁部
１６ｂ  ボルト溝
１７  床材
１８  手すり
２０  妻梁
２１  ボルト
２２  ナット
２５  取付金具
３０  建物躯体
４０  根太
４０ａ  フランジ部
４１  根太固定金具
４１ａ  スライド溝
５０  根太
５０ａ  フランジ部
５１  根太固定金具
５１ａ  嵌合溝
５１ｂ  立設片
【図１】
2014066107.tif 000003
【図２】
2014066107.tif 000004
【図３】
2014066107.tif 000005
【図４】
2014066107.tif 000006
【図５】
2014066107.tif 000007
【図６】
2014066107.tif 000008
【図７】
2014066107.tif 000009
【図８】
2014066107.tif 000010
【図９】
2014066107.tif 000011
【図１０】
2014066107.tif 000012
【図１１】
2014066107.tif 000013